(57)【要約】      （修正有）【課題】車両運転者の身体特性に応じて後方側頚椎（首の骨）を車両シートの背もたれ上で位置調節して支持することにより、運転姿勢を正し、安定的な運転姿勢を持続的に維持することができ、疲労を軽減することができる位置調節可能な頚椎支持装置を提供する。【解決手段】背もたれ２０の上方及び前方に開放した取付空間部９２に位置して運転者の頚椎を支持する頚椎支持部材５０と、後方の取付板の後方に離隔して位置した左ネジ棒及び右ネジ棒上にそれぞれ移動ナットが備えられ、両側ヒンジ部に交差した状態で連結され、モーターの駆動による左ネジ棒及び右ネジ棒の回転によって距離調節バーが交差した状態で回転することによって頚椎支持部材を前後方に移動させる前後方距離調節部と、モーターの側部を支持する垂直取付板の下部側を支持するように備えられた底面取付台の下部のシリンダーの作動によって頚椎支持部材を上下に移動させる上下距離調節部とを含む。【選択図】図２
2020001686.tif 000002
【特許請求の範囲】
【請求項１】
着座部、背もたれ、及びヘッドレストを備えた車両シートの背もたれに設置される頚椎支持装置であって、
前記背もたれの上方及び前方に開放した取付空間部に位置して運転者の頚椎を支持する頚椎支持部材と、
前記頚椎支持部材の後方に取付板が密着して固定され、前記取付板の後方に離隔して左ネジ棒及び右ネジ棒が位置し、前記左ネジ棒及び右ネジ棒上にそれぞれ移動ナットが移動可能に備えられ、前記移動ナットにそれぞれ距離調節バーが連結され、前記取付板に後方に備えられた両側ヒンジ部に交差した状態で連結されて中心ピンを中心に回転し、前記左ネジ棒及び右ネジ棒はモーターによって回転し、前記モーターの駆動による左ネジ棒及び右ネジ棒の回転によって距離調節バーが交差した状態で回転することによって頚椎支持部材を前後方に移動させる前後方距離調節部と、
前記モーターの側部を支持するように垂直取付板が備えられ、前記垂直取付板の下部側を支持するように底面取付台が備えられ、前記底面取付台を昇降させるように底面取付台の下部に、シリンダーに連結されたロッドが連結され、前記シリンダーの作動によって頚椎支持部材を上下に移動させる上下距離調節部とを含み、
前記前後方距離調節部によって背もたれ上で前後方に距離が調節される頚椎支持部材の下端部前方側に板状の垂直前方カバーが形成され、前記垂直前方カバーの後方に離隔して板状の垂直後方カバーが形成され、前記背もたれの前方部の上方に垂直に延びた前方支持板が前記垂直前方カバー及び前記垂直後方カバーの間に挿入され、前記垂直前方カバー及び垂直後方カバーの前後方移動によって前方支持板が垂直前方カバー及び垂直後方カバーの両内側面に密着して頚椎支持部材の前後方移動を制限するように構成されることを特徴とする、車両シートの背もたれに設置される位置調節可能な頚椎支持装置。
【請求項２】
前記上下距離調節部によって背もたれ上で上下に距離が調節される頚椎支持部材の上端部後方側は、前記背もたれの後方部の上方に垂直に延びた後方支持板の内側に水平に形成される下方移動制限板上に定着されて頚椎支持部材の下向き移動を制限するように構成されることを特徴とする、請求項１に記載の車両シートの背もたれに設置される位置調節可能な頚椎支持装置。
【請求項３】
前記頚椎支持部材の上端部後方側は、前記背もたれの後方部の上方に垂直に延びた後方支持板の上部側に凹設された定着段部に定着されて支持されるように構成されることを特徴とする、請求項２に記載の車両シートの背もたれに設置される位置調節可能な頚椎支持装置。
【請求項４】
前記頚椎支持部材の内部に加熱手段及び振動手段のいずれか一つ以上を備えることを特徴とする、請求項３に記載の車両シートの背もたれに設置される位置調節可能な頚椎支持装置。
【発明の詳細な説明】
【技術分野】
【０００１】
本発明は車両シートの背もたれに設置される位置調節可能な頚椎支持装置に関わり、より詳しくは各車両運転者の身体特性に応じて後方側頚椎（首の骨）を車両シートの背もたれ上で位置調節して支持することにより、運転者の身体特性に応じて運転姿勢を正し、安定的な運転姿勢を持続的に維持することができ、疲労を軽減することができるようにする、車両シートの背もたれに設置される位置調節可能な頚椎支持装置に関する。
【背景技術】
【０００２】
一般に、自動車のシートは限定された空間及び重量の範囲内で安全で快適に乗客を支持するようになっている。このようなシートは、配置位置によって運転席、助手席及び後部座席に区分されている。また、シートの形態によって長い椅子形のベンチシート及びそれぞれ分離可能なセパレートシート（ＳＥＰＡＲＡＴＥ  ＳＥＡＴ）に分類される。
【０００３】
このような自動車のシートは座った人のお尻を支えるシートクッション及び背中を支える背もたれのバックシートに構成される。
【０００４】
このような自動車のシートに運転者が身を寄り掛かって運転すれば、普通は運転者の脊椎部の下側である腰推部は背もたれ側に寄せて運転することになるが、その上部である胸椎又は頚椎に上がるほど背もたれ部から離れたままで運転することになる。特に、素人の運転者の場合はその程度が酷かった。
【０００５】
このように誤った運転姿勢によって容易に運転者の疲労を引き起こされ、疲労感に苦しむ運転者は瞬間判断が鈍り大型事故の発生可能性が高まる問題点があった。
【先行技術文献】
【特許文献】
【０００６】
【特許文献１】韓国特許登録第１０−０１６２１７０号公報
【発明の概要】
【発明が解決しようとする課題】
【０００７】
したがって、本発明は前記のような諸般の問題点を除去するために、各車両運転者の身体特性に応じて後方側頚椎（首の骨）を車両シートの背もたれ上で位置調節して支持することにより、運転者の身体特性に応じて運転姿勢を正し、安定的な運転姿勢を持続的に維持することができ、疲労を軽減することができるようにする、車両シートの背もたれに設置される位置調節可能な頚椎支持装置を提供することを目的とする。
【課題を解決するための手段】
【０００８】
本発明は、着座部、背もたれ、及びヘッドレストを備えた車両シートの背もたれに設置される頚椎支持装置であって、前記背もたれの上方及び前方に開放した取付空間部に位置して運転者の頚椎を支持する頚椎支持部材と、前記頚椎支持部材の後方に取付板が密着して固定され、前記取付板の後方に離隔して左ネジ棒及び右ネジ棒が位置し、前記左ネジ棒及び右ネジ棒上にそれぞれ移動ナットが移動可能に備えられ、前記移動ナットにそれぞれ距離調節バーが連結され、前記取付板に後方に備えられた両側ヒンジ部に交差した状態で連結されて中心ピンを中心に回転し、前記左ネジ棒及び右ネジ棒はモーターによって回転し、前記モーターの駆動による左ネジ棒及び右ネジ棒の回転によって距離調節バーが交差した状態で回転することによって頚椎支持部材を前後方に移動させる前後方距離調節部と、前記モーターの側部を支持するように垂直取付板が備えられ、前記垂直取付板の下部側を支持するように底面取付台が備えられ、前記底面取付台を昇降させるように底面取付台の下部に、シリンダーに連結されたロッドが連結され、前記シリンダーの作動によって頚椎支持部材を上下に移動させる上下距離調節部とを備えていることを特徴とする。
【０００９】
また、前記前後方距離調節部によって背もたれ上で前後方に距離が調節される頚椎支持部材の下端部前方側に板状の垂直前方カバーが形成され、前記垂直前方カバーの後方に離隔して板状の垂直後方カバーが形成され、前記背もたれの前方部の上方に垂直に延びた前方支持板が前記垂直前方カバー及び前記垂直後方カバーの間に挿入され、前記垂直前方カバー及び垂直後方カバーの前後方移動によって前方支持板が垂直前方カバー及び垂直後方カバーの両内側面に密着して頚椎支持部材の前後方移動を制限するように構成されることを特徴とする。
【００１０】
また、前記上下距離調節部によって背もたれ上で上下に距離が調節される頚椎支持部材の上端部後方側は、前記背もたれの後方部の上方に垂直に延びた後方支持板の内側に水平に形成される下方移動制限板上に定着されて頚椎支持部材の下向き移動を制限するように構成されることを特徴とする。
【００１１】
また、前記頚椎支持部材の上端部後方側は、前記背もたれの後方部の上方に垂直に延びた後方支持板の上部側に凹設された定着段部に定着されて支持されるように構成されることを特徴とする。
【００１２】
また、前記頚椎支持部材の内部に加熱手段及び振動手段のいずれか一つ以上を備えることを特徴とする。
【発明の効果】
【００１３】
前述した本発明によれば、各車両運転者の身体特性に応じて後方側頚椎（首の骨）を車両シートの背もたれ上で位置調節して支持することにより、運転者の身体特性に応じて運転姿勢を正し、安定的な運転姿勢を持続的に維持することができるようにして、疲労を軽減することができる効果がある。
【図面の簡単な説明】
【００１４】
【図１】本発明の位置調節可能な頚椎支持装置が設置された車両シートの背もたれの斜視図である。
【図２】図１を上部側から見た断面図である。
【図３】本発明の要部構成を上部側から見た断面図である。
【図４】本発明の頚椎支持部材が前後方に移動する状態を示した例示図である。
【図５】本発明の頚椎支持部材が上下に移動する状態を示した例示図である。
【発明を実施するための形態】
【００１５】
以下、本発明の実施のための具体的な内容を添付図面に基づいてより詳細に説明する。
【００１６】
図１は本発明の位置調節可能な頚椎支持装置が設置された車両シートの背もたれの斜視図、図２は図１を上部側から見た断面図、図３は本発明の要部構成を上部側から見た断面図、図４は本発明の頚椎支持部材が前後方に移動する状態を示した例示図、図５は本発明の頚椎支持部材が上下に移動する状態を示した例示図である。
【００１７】
図１〜図５に示すように、各車両運転者の身体特性に応じて後方側頚椎（首の骨）を車両シートの背もたれ上で位置調節して支持することにより、運転者の身体特性に応じて運転姿勢を正し、安定的な運転姿勢を持続的に維持することができ、疲労を軽減することができるようにする、本発明による車両シートの背もたれに設置される位置調節可能な頚椎支持装置は、頚椎支持部材５０、前後方距離調節部６０、及び上下距離調節部８０を含んでいる。
【００１８】
まず、本発明の頚椎支持装置は、図１のように、着座部１０、背もたれ２０、及びヘッドレスト３０を備えた車両シートの背もたれに設置されるものであり、その具現のための前記頚椎支持部材５０は、図２のように、前記背もたれ２０の上方及び前方に開放した取付空間部９２に位置して運転者の頚椎を支持するように構成される。
【００１９】
前記頚椎支持部材５０は背もたれ２０上で運転者の後方側頚椎（首の骨）を支持して運転姿勢を正し、安定的な運転姿勢を持続的に維持するための手段であり、このような機能に加え、図示されていないが、頚椎支持部材５０の内部に加熱手段及び振動手段のいずれか一つ以上を備えることにより、運転者が車両で休息するときにあんぽう又はマッサージ機能を受けることができるようになる。
【００２０】
前記頚椎支持部材５０には前後方距離調節部６０及び上下距離調節部８０が備えられる。まず、前記前後方距離調節部６０を構成するために、図３及び図４のように、頚椎支持部材５０の後方に取付板６８が密着して固定され、前記取付板６８の後方に離隔して左ネジ棒６１及び右ネジ棒６２が位置し、前記左ネジ棒６１及び右ネジ棒６２上にそれぞれ移動ナット６３、６４が移動可能に備えられる。
【００２１】
そして、前記移動ナット６３、６４にそれぞれ距離調節バー７４が連結され、前記取付板６８の後方に備えられる両側ヒンジ部７６に交差した状態で連結されて中心ピン７２を中心に回転し、前記左ネジ棒６１及び右ネジ棒６２はモーター６７によって回転するように構成される。
【００２２】
このような構成により、図３及び図４の（ｂ）のように、前記モーター６７の駆動による左ネジ棒６１及び右ネジ棒６２の回転によって距離調節バー７４が交差したままで回転することによって頚椎支持部材５０を前後方に移動させるようになる。
【００２３】
ここで、実施例は、図４のように、前記前後方距離調節部６０によって背もたれ２０から前後方に距離が調節される頚椎支持部材５０の下端部の前方側に板状の垂直前方カバー５２が形成され、前記垂直前方カバー５２の後方側に離隔して板状の垂直後方カバー５４が形成され、前記背もたれ２０の前方側の上方に垂直に延びた前方支持板２１が垂直前方カバー５２及び垂直後方カバー５４の間に挿入され、前記垂直前方カバー５２及び垂直後方カバー５４の前後方移動によって前方支持板２１が垂直前方カバー５２及び垂直後方カバー５４の両内側面に密着して頚椎支持部材５０の前後方移動を制限するように構成される。
【００２４】
そして、前記上下距離調節部８０を構成するために、図５のように、前記モーター６７の側部を支持するように垂直取付板８１が備えられ、前記垂直取付板８１の下部側を支持するように底面取付台８３が備えられ、前記底面取付台８３を昇降させるように、底面取付台８３の下部に、シリンダー８７に連結されたロッド８５が連結されることにより、前記シリンダー８７の作動によって頚椎支持部材５０が上下に移動するように構成される。
【００２５】
このような構成により、図５の（ｂ）のように、シリンダー８７の作動によってロッド８５に連結された底面取付台８３及び垂直取付板８１が昇降して頚椎支持部材５０を上方に移動させるようになる。
【００２６】
ここで、実施例は、図５のように、前記上下距離調節部８０によって背もたれ２０上で上下に距離が調節される頚椎支持部材５０の上端部の後方側は、前記背もたれ２０の後方側から上方に垂直に延びた後方支持板２３の内側に水平に形成された下方移動制限板２５上に載置されることによって頚椎支持部材５０の下向き移動が制限されることができる。
【００２７】
前記下方移動制限板２５は頚椎支持部材５０の下向き移動を制限する機能をするだけでなく、図４の（ｂ）のように、前後方距離調節部６０による頚椎支持部材５０の前後方移動時に頚椎支持部材５０の後方部を支持しながらスライド移動できるようにする機能を同時に果たす。
【００２８】
一方、前記頚椎支持部材５０の上端部の後方側は、図４及び図５のように、背もたれ２０の後方部の上方に垂直に延びた後方支持板２３の上部側に凹設された定着段部２４に定着されるように構成すれば、頚椎支持部材５０の安定した支持力を確保することができる。
【００２９】
前述した本発明によれば、各車両運転者の身体特性に応じて後方側頚椎（首の骨）を車両シートの背もたれ上で位置調節して支持することにより、運転者の身体特性に応じて運転姿勢を正し、安定的な運転姿勢を持続的に維持することができ、疲労を軽減することができるようになる。
【００３０】
以上で説明した本発明は前述した実施例及び添付図面に限定されるものではなく、本発明の技術的思想を逸脱しない範疇内でさまざまな置換え、変形及び変更が可能であることは本発明が属する技術分野で通常の知識を有する者に明らかであろう。
【符号の説明】
【００３１】
１０    着座部
２０    背もたれ
３０    ヘッドレスト
５０    頚椎支持部材
６０    前後方距離調節部
６１    左ネジ棒
６２    右ネジ棒
６３、６４    移動ナット
６５、６６    サポート
６７    モーター
６８    取付板
８０    上下距離調節部
８１    垂直取付板
８３    底面取付台
８５    ロッド
８７    シリンダー
９２    取付空間部
【図１】
2020001686.tif 000003
【図２】
2020001686.tif 000004
【図３】
2020001686.tif 000005
【図４】
2020001686.tif 000006
【図５】
2020001686.tif 000007